(57)【要約】【課題】誘電体フィルタの共振周波数の調整を容易にすると同時にその精度を高めることが可能なチップコンデンサと誘電体フィルタ並びに誘電体フィルタの共振周波数調整方法を提供する。【解決手段】略直方体の第１の誘電体磁器部材１ａと、この誘電体磁器部材１ａの第１面に設置された第１の電極２ａとこの第１の電極２ａと間隙２ｃを形成して設置された第２の電極２ｂを備えるチップコンデンサ１であって、第１の電極２ａは、第１面から隣接する第２面４まで延設され、第２の電極２ｂは第１面から第２面に対向する第３面５まで延設されており、第１面に隣接する４面のうち第２面及び第３面以外の２面（６，７）は電極を備えない開放端面（６，７）が形成されるものである。【選択図】  図１
2005032776.tif 000002
【特許請求の範囲】
【請求項１】
略直方体の第１の誘電体磁器部材と、この誘電体磁器部材の第１面に設置された第１の電極とこの第１の電極と間隙を形成して設置された第２の電極とを備えるチップコンデンサであって、前記第１の電極は、前記第１面から隣接する第２面まで延設され、前記第２の電極は前記第１面から前記第２面に対向する第３面まで延設されており、前記第１面に隣接する４面のうち第２面及び第３面以外の２面は電極を備えない開放端面が形成されていることを特徴とするチップコンデンサ。
【請求項２】
前記第１の電極と第２の電極は、前記第１の電極又は第２の電極の一部を研磨又は切削して前記間隙の幅を調整可能に互いに凹凸を形成して設置されていることを特徴とする請求項１記載のチップコンデンサ。
【請求項３】
内部に第２の誘電体磁器部材を備えた略円筒形状の外周面と内周面にそれぞれ外部電極と内部電極を形成する誘電体同軸共振器と、請求項１又は請求項２に記載のチップコンデンサと、前記内部電極に一の端部が接続され他の端部に前記請求項１又は請求項２に記載のチップコンデンサの第１の電極又は第２の電極が接続されるリードとを有することを特徴とする誘電体フィルタ。
【請求項４】
前記第１の誘電体磁器部材と第２の誘電体磁器部材は同一材料で作製されることを特徴とする請求項３に記載の誘電体フィルタ。
【請求項５】
内部に第２の誘電体磁器部材を備えた略円筒形状の誘電体同軸共振器と、請求項１又は請求項２に記載のチップコンデンサと、前記誘電体同軸共振器の内周面に形成された内部電極に一の端部が接続され他の端部に前記請求項１又は請求項２に記載のチップコンデンサの第１の電極又は第２の電極が接続されるリードとを有する誘電体フィルタの共振周波数調整方法であって、前記２面の開放端面のうち少なくとも１面を研磨又は切削して共振周波数を調整する工程と、前記第１の電極又は第２の電極の一部を研磨又は切削して前記間隙の幅を変化させ共振周波数を調整する工程とを有することを特徴とする誘電体フィルタの共振周波数調整方法。
【発明の詳細な説明】
【０００１】
【発明の属する技術分野】
本発明は、チップコンデンサと誘電体フィルタとその誘電体フィルタの共振周波数調整方法に係わり、特に、コンデンサ容量を容易にしかも高精度で調整可能とし、もって誘電体フィルタの共振周波数を容易、高精度に調整可能なチップコンデンサ、誘電体フィルタ及びその誘電体フィルタの共振周波数調整方法に関する。
【０００２】
【従来の技術】
携帯電話をはじめとして列車無線、消防無線や防災無線などに用いられる無線通信機器や移動体通信機器には、システムに応じた特定の周波数のみを選択するためのバンドパスフィルタが部品として実装されている。
このバンドパスフィルタの一種として数百ＭＨｚから数ＧＨｚの高周波帯域において使用されるものに同軸共振器を用いた誘電体フィルタがある。誘電体フィルタは、同軸共振器と基板、さらに別にコンデンサをリードで接続するなどして構成される。
【０００３】
この誘電体フィルタは、製造されたままの状態でシステムに応じた特定周波数に精度よく一致させることが困難であり、通常は作製時あるいは実装時に共振周波数を微調整して使用されている。
従来から使用されている共振周波数の調整方法について図５を参照しながら説明する。
【０００４】
図６（ａ）は、従来の誘電体フィルタの構成を示す断面図である。図６（ａ）において、基板２０に接地用電極２１を介して誘電体同軸共振器３１がはんだ１７ａ，１７ａによって接続されている。この誘電体同軸共振器３１は、主として誘電体磁器１２、内部電極１３、外部電極１５ａ，１５ｂから構成されている。
誘電体磁器１２は、高誘電率材料により構成され、略厚肉円筒形状をなしており、この誘電体磁器１２の内部には貫通孔１８が形成され、この貫通孔１８の表面には内部電極１３が形成されている。一方、誘電体磁器１２の外周壁１４には外部電極１５ａが、一端面には外部電極１５ｂが形成されており、この端面と対向する端面１５ｃ（以下、開放端面という。）には電極が形成されておらず、開放されている。従って、外部電極１５ａと内部電極１３は外部電極１５ｂを介して接続されている。
さらに、貫通孔１８内には、コンデンサ３０が挿入されており、このコンデンサ３０は、リード３２及びはんだ３６を介して基板２０上に形成された信号用電極３３に接続されている。
【０００５】
図６（ｂ）は、図６（ａ）中、Ａで示した点線部分を拡大して示す断面図である。図６（ｂ）において、コンデンサ３０は、略円筒形の誘電体磁器１２に外部電極３４ａ，３４ｄと内部電極３４ｂ，３４ｃを形成したコンデンサであり、はんだ３５ａ，３５ｂによって誘電体同軸共振器３１の内部電極１３に接続されている。
【０００６】
このように構成される従来の誘電体フィルタにおいては、まず、誘電体同軸共振器３１の作製時において、開放端面１５ｃに研磨処理を施して誘電体磁器１２の長さを調整することにより共振周波数を微調整する。また、コンデンサ３０の外部電極３４ａなどを研磨処理して共振周波数を調整する。
このように誘電体同軸共振器３１の開放端面１５ｃやコンデンサ３０の外部電極３４ａを研磨処理することで、誘電体同軸共振器３１やコンデンサ３０の容量を変化させることができ、それによって共振周波数を調整するのである。
誘電体同軸共振器３１やコンデンサ３０など誘電体の容量Ｃは式（１）で表現される。
Ｃ＝ε０・εｒ・Ｓ／Ｌ      （１）
ここで、ε０は真空の誘電率、εｒは比誘電率、Ｓは電極の面積、Ｌは電極間の距離あるいは誘電体磁器基板の厚みである。
一方、共振周波数ｆ０は、式（２）で表現される。
ｆ０＝１／｛２・π・（Ｌ・Ｃ）１／２｝（２）
ここで、Ｌは誘電体同軸共振器のインダクタンス成分、Ｃは誘電体同軸共振器やコンデンサの容量である。
【０００７】
式（１）及び（２）を参照するならば、誘電体同軸共振器３１の長さを短くすることによれば電極の面積Ｓが小さくなり、よって容量Ｃが小さくなり共振周波数を高く調整することができる。また、コンデンサ３０の外部電極３４ａを研磨処理することによっても電極Ｓの面積を小さくすることができ、容量Ｃを小さくすることで共振周波数を高く調整することができる。
【０００８】
他にも、例えば特許文献１には「積層セラミックコンデンサおよびその製造方法」として、コンデンサ素子の表面に容量調整用電極を設けた積層セラミックコンデンサとその製造方法が開示されている。この特許文献１に開示された従来の発明ではコンデンサ容量を調整するためのくし歯形状のトリミング電極を設けている。このトリミング電極をレーザーなどを用いて切除することでコンデンサ素子の容量を調整するものである。
【０００９】
さらに、特許文献２には、本願発明者らによって発明された「電極取り出し部材、誘電体同軸共振器、及び誘電体同軸共振器の共振周波数の調整方法」が開示されている。この特許文献２に開示された従来の技術は、図５を参照しながら説明した従来の共振周波数調整方法では困難であった共振周波数を低くする調整方法について開示されている。共振周波数を高くする調整は、電極を小さく研磨することで達成可能であるものの低くする場合には、電極を大きくする必要があるためより困難であるが、特許文献２に開示された技術によれば、はんだを電極取り出し部材の一部に付着させることにより共振周波数を低くすることも可能としている。
【００１０】
【特許文献１】
特開昭６０−９２６０４号公報
【特許文献２】
特開平１０−４１７１７号公報
【００１１】
【発明が解決しようとする課題】
しかしながら、従来の技術では、誘電体同軸共振器が大きいため開放端面を研磨しても共振周波数の微調整を行うことが困難であり、また、一旦誘電体同軸共振器にコンデンサを接続した後ではコンデンサがじゃまとなって開放端面の研磨が困難となっていた。
特許文献１のコンデンサは積層コンデンサであるため、内部電極と同時焼成できる低温焼結可能なセラミックしか使用できない。このため比較的高温で焼成する必要のある、Ｑ値が高くかつ共振周波数の温度依存性が小さい誘電体セラミックは使用できないという問題がある。また、トリミング電極の切除による方法は微調整は可能だが大きな調整はできないという課題がある。
特許文献２に開示されている技術では、周波数調整用部材を追加する必要がありコスト的に課題を残すものであった。
【００１２】
さらに、これらの文献に開示された技術では、一つの部材に適用される共振周波数を調整する方法あるいはメカニズムは１種類であり、一つの部材では単一の調整方法を採用することしかできず、異なる調整方法を同時に実施することができないという課題があった。
【００１３】
本発明はかかる従来の事情に対処してなされたものであり、誘電体フィルタの共振周波数の調整を容易にしかも精度高く実施可能なチップコンデンサと誘電体フィルタ及び誘電体フィルタの共振周波数調整方法を提供するものである。また、一つの部材において異なる調整方法を適用可能なチップコンデンサなどを提供するものでもある。
【００１４】
【課題を解決するための手段】
上記目的を達成するため、請求項１記載の発明であるチップコンデンサは、略直方体の第１の誘電体磁器部材と、この誘電体磁器部材の第１面に設置された第１の電極とこの第１の電極と間隙を形成して設置された第２の電極とを備えるチップコンデンサであって、第１の電極が、第１面から隣接する第２面まで延設され、第２の電極が第１面から第２面に対向する第３面まで延設されており、第１面に隣接する４面のうち第２面及び第３面以外の２面には電極を備えない開放端面が形成されているものである。
上記構成のチップコンデンサは、微調整の第一として、開放端面を研磨あるいは切削することで第１の電極及び第２の電極の面積を小さくすることができ容量を小さくする作用を有する。同時に、第二として略直方体の誘電体磁器部材上に形成された第１の電極あるいは第２の電極の一部を研磨あるいは切削することによってそれらの間隙を広げ容量を小さくする作用も有する。
【００１５】
また、請求項２に記載の発明であるチップコンデンサは、請求項１に記載のチップコンデンサにおいて、第１の電極と第２の電極が、第１の電極又は第２の電極の一部を研磨又は切削して間隙の幅を調整可能に互いに凹凸を形成して設置されるものである。
上記構成のチップコンデンサにおいては、請求項１に記載の発明の作用に加えて、第１及び第２の電極が互いに凹凸を形成しているため、凹部の電極の一部あるいは凸部の電極の一部を研磨あるいは切削することができ、より定量的に電極の一部を研磨又は切削することが容易となる作用を有する。
【００１６】
そして、請求項３の発明である誘電体フィルタは、内部に第２の誘電体磁器部材を備えた略円筒形状の外周面と内周面にそれぞれ外部電極と内部電極を形成する誘電体同軸共振器と、請求項１又は請求項２に記載のチップコンデンサと、内部電極に一の端部が接続され他の端部に請求項１又は請求項２に記載されたチップコンデンサの第１の電極又は第２の電極が接続されるリードを有するものである。
上記構成の誘電体フィルタにおいては、誘電体同軸共振器の端面の研磨あるいは切削による共振周波数の調整に加えて、請求項１又は請求項２に記載されたチップコンデンサによる共振周波数の微調整が可能であるという作用を有する。
【００１７】
さらに、請求項４の発明である誘電体フィルタは、請求項３に記載された誘電体フィルタにおいて、第１の誘電体磁器部材と第２の誘電体磁器部材が同一材料で作製されているものである。
上記構成の誘電体フィルタにおいては、請求項３に記載の発明の作用に加えて、チップコンデンサの誘電体磁器部材と誘電体同軸共振器の誘電体磁器部材の共振周波数に関する温度係数が一致するためより良い温度安定性が得られるという作用を有する。
【００１８】
最後に、請求項５の発明である誘電体フィルタの共振周波数調整方法は、内部に第２の誘電体磁器部材を備えた略円筒形状の誘電体同軸共振器と、請求項１又は請求項２に記載のチップコンデンサと、誘電体同軸共振器の内周面に形成された内部電極に一の端部が接続され他の端部に請求項１又は請求項２に記載のチップコンデンサの第１の電極又は第２の電極が接続されるリードとを有する誘電体フィルタの共振周波数調整方法であって、２面の開放端面のうち少なくとも１面を研磨又は切削して共振周波数を調整する工程と、第１の電極又は第２の電極の一部を研磨又は切削して間隙の幅を変化させ共振周波数を調整する工程を有するものである。
上記構成の誘電体フィルタの共振周波数調整方法においては、請求項３に記載した発明と同様の作用を有する。
【００１９】
【発明の実施の形態】
以下に、本発明に係るチップコンデンサの実施の形態を図１及び図２に基づき説明する。（特に、請求項１、請求項２及び請求項５に対応）
図１は本実施の形態に係るチップコンデンサの外形図であり、図２は本実施の形態に係るチップコンデンサの表面を展開して示す概念図であり、（ａ）は上面、（ｂ）は下面、（ｃ）は左右側面、（ｄ）は前後側面を示すものである。
図１及び図２において、本実施の形態におけるチップコンデンサ１は、略直方体に形成された誘電体磁器ブロック１ａの上面に上面電極２ａ，２ｂを形成するものである。この上面電極２ａ，２ｂは、互いに凸部あるいは凹部を備えて一定の間隙２ｃを形成してかみ合うように構成されている。また、上面電極２ａ，２ｂは、対向する左右側面にそれぞれ右側面電極４と左側面電極５として延設されており、これらの電極４，５はさらに下面の一部を覆う下面電極３ａ、３ｂとして延設されている。
一方、誘電体磁器ブロック１ａの前面６と後面７には、電極のない開放端面が形成されている。
【００２０】
このように構成された本実施の形態のチップコンデンサにおける容量の調整方法について図１を参照しながら説明する。
まず、チップコンデンサ１の右側面電極４及び／又は左側面電極５の面積を減少させてチップコンデンサ１の容量を調整する。
チップコンデンサ１の右側面電極４及び左側面電極５の幅が図１に示されるようにＬ１の場合、これを図１中点線８に沿って切削すると、電極の幅がＬ１からＬ２に減り電極の面積も減少する。従って、従来の技術の欄で示した式（１）によればＳが小さくなりチップコンデンサ１の容量Ｃは減少することになる。容量Ｃが減少することによって、式（２）に示されるとおり共振周波数ｆ０を高く調整することができる。
この調整は、チップコンデンサ１を作製した際や、基板に実装する前後に行うことが可能である。また、前面６、後面７に沿って右側面電極４、左側面電極５の面積を大きく切削することができるため、容量に対して比較的大きな調整を実施することができる。
【００２１】
次に、チップコンデンサ１を基板に実装した後に、共振周波数を測定した結果、さらに微調整が必要となった場合には、図１に示す上面電極２ａ，２ｂ間の間隙２ｃを広げ、今度は電極間の距離を拡大することでチップコンデンサ１の容量を調整することができる。
間隙２ｃが図１に示されるようにＬ３の場合、これを点線９に沿って研磨あるいは切削すると間隙２ｃがＬ３からＬ４に広がる。従って、同様に式（１）によれば電極間距離Ｌが大きくなりチップコンデンサ１の容量Ｃは減少することになる。この場合も式（２）に示されるとおり共振周波数ｆ０を高く調整することができるのである。
この間隙２ｃの調整は、点線９に沿って行うことに限定するものではなく、それ以外にも電極の一部を研磨あるいは切削することで上面電極２ａ，２ｂ間の間隙２ｃを調整することができればその箇所はいずれでもよい。また、２箇所、３箇所と複数の調整も可能であることは言うまでもない。
この間隙２ｃの調整は、先の前面６及び／又は後面７に形成される開放端面を調整することとはそのメカニズムを異にしてチップコンデンサ１の容量を調整するものであり、１つのチップコンデンサ１において２種類の容量調整を柔軟に実施することができる。また、この間隙２ｃによる容量調整は、開放端面の切削による容量調整よりも微細な調整が可能であるため、共振周波数の最終調整の過程で利用することができる。
【００２２】
【実施例】
以上説明した実施の形態に係るチップコンデンサに関して、本願発明者は３．５ｐＦのチップコンデンサを試作した。このチップコンデンサは、略立方体形状を成すもので、図１に示されるＬ１は３．５ｍｍ、前面６と後面７の幅及び高さも３．５ｍｍである。また、間隙２ｃの幅、すなわちＬ３の長さは０．５ｍｍとし、この幅は上面電極２ａ，２ｂ間で一定とした。また、誘電体磁器ブロック１ａの誘電率は１１３±３のものを使用した。
このようなチップコンデンサを試作してその容量値を測定すると、３．６ｐＦ〜３．８ｐＦとなった。そこで、微調整として前面６及び後面７を研磨して３．５ｐＦとなるように仕上げたところ、３．５ｐＦ±０．０５ｐＦという狭公差のチップコンデンサを製作することができた。
この容量値よりもさらに小さな容量値を必要とする場合には、誘電率の小さな材料を使用するとよく、その際にはさらに狭公差のチップコンデンサを作製することができる。
【００２３】
本実施例においては、前面６と後面７の研磨は実装前に実施したものであるが、実装後でも可能であるし、実装後のさらなる微調整として上面電極２ａ，２ｂを切削あるいは研磨することで容量値を調整することができる。
これら実装後の微調整は、特にチップコンデンサを、図３を用いて説明する信号用電極２２ａ，２２ｂにはんだ付けする際に、はんだが付き過ぎると浮遊容量が発生する可能性があるが、このような浮遊容量を相殺するために特に有効である。
【００２４】
次に、本発明に係る誘電体フィルタとその共振周波数の調整方法の実施の形態について図３乃至図５を参照しながら説明する。（特に、請求項３乃至請求項５に対応）
図３は本実施の形態に係る誘電体フィルタの断面構造図であり、図４は図３に示される誘電体フィルタを組み合わせて構成されるデュプレクサの等価回路図である。
図３において、既に図１及び図２を用いて説明した部材については同一の符号を付しその構成については説明を省略する。誘電体フィルタは、主としてチップコンデンサ１と誘電体同軸共振器１１とこれらを接続するリード１６から構成されている。チップコンデンサ１は、左側面電極５と右側面電極４がそれぞれはんだ１７ｄによって信号用電極２２ａ，２２ｂに接続され、上面電極２ａ，２ｂを上向きにして基板２０に実装されている。
一方、誘電体同軸共振器１１は、はんだ１７ａによって接地用電極２１に接続され、同様に基板２０に実装されている。そして、チップコンデンサ１と誘電体同軸共振器１１は、リード１６を介してはんだ１７ｂ，１７ｃによって接続されている。
【００２５】
このように構成される誘電体フィルタの誘電体磁器１２の材料としては、例えばＢａＯ−ＴｉＯ２−ＷＯ３系、ＢａＯ−ＴｉＯ２−Ｎｄ２Ｏ３−Ｇａ２Ｏ３−Ｂｉ２Ｏ３系の高誘電率材料等が挙げられ、内部電極１３や外部電極１５ａ，１５ｂの材料としては、例えばＡｇやＣｕ等の低抵抗材料等が挙げられる。
なお、チップコンデンサ１に用いられる誘電体磁器ブロック１ａにも誘電体磁器１２の材料と同一材料を用いることによれば、それぞれの構成要素で同一の物性を備えるため、温度係数が一致した温度安定性に優れた誘電体フィルタとすることができる。
また、本発明のチップコンデンサ１は誘電体同軸共振器１１と同様の方法で製造される、まず誘電体セラミックの粉末原料をプレス金型でプレス成形して直方体の成形体を形成し、この成形体を焼成する。次にこの焼結体にＡｇ系やＣｕ系のメタライズペーストをスクリーン印刷等の手法を用いて塗布した後焼成して電極を形成して製造される。誘電体セラミックと電極は別々に焼成するため、誘電体セラミックの焼成温度を電極材料の焼成温度に合わせる必要がない。このため誘電体セラミック材料を自由に選択できることからＱ値が高くかつ、共振周波数の温度依存性が小さい誘電体セラミックを使用することができる。
【００２６】
また、誘電体フィルタは、それを複数組み合わせることによって図４に示されるようなデュプレクサを構成する。デュプレクサとは、例えば携帯電話など受信と送信を切り替えて使用するような通信装置に搭載される装置であり、図４に示されるように誘電体フィルタ１９を複数備えて、ＡＮＴで示されるアンテナを挟んでＴｘで示される方が送信側の誘電体フィルタであり、Ｒｘで示される方が受信側の誘電体フィルタである。
【００２７】
このように構成される誘電体フィルタにおける共振周波数の調整方法について図３及び図５を参照しながら説明する。図５は誘電体フィルタの共振周波数の調整方法のみを選択して示すステップ図である。
図３及び図５において、ステップＳ１では、誘電体同軸共振器１１の開放端面１５ｃを研磨あるいは切削することによって誘電体同軸共振器１１自体の容量を減少させるものである。具体的には、開放端面１５ｃを研磨などすることで誘電体磁器１２の長さ及び面積を減少させ、式（１）におけるＳを小さくして、よって容量を減少させるというものである。
【００２８】
この誘電体同軸共振器１１の共振周波数を調整しておき、次にチップコンデンサ１の開放端面、すなわち前面６及び後面７を研磨あるいは切削するステップＳ２の工程を実施する。このチップコンデンサ１の研磨などはチップコンデンサ１を基板２０に実装する前後のいずれでもよいが、最終的には誘電体同軸共振器１１とチップコンデンサ１を併せた誘電体フィルタの共振周波数を正確に調整する必要があるので、実装してからの方が好適である。
【００２９】
そして最後にステップＳ３ではチップコンデンサ１の上面電極２ａ，２ｂの研磨あるいは切削による共振周波数の調整となる。この上面電極２ａ，２ｂの研磨などについては既に図１及び図２を用いて説明したので省略するが、この研磨などによる共振周波数の調整は、ステップＳ１，Ｓ２に比較してさらに微調整であり最終的な仕上げ調整となる。
【００３０】
よって、この誘電体フィルタ及び誘電体フィルタの共振周波数の調整方法によれば、誘電体フィルタの共振周波数の微調整が容易で、しかも精度高く実施することができる。しかも、誘電体フィルタに含まれるチップコンデンサにおいては電極の面積と電極間の距離を調整するという別個の原理による容量の調整が可能であり、しかもそれらの精度も異なるため、精度が高いのみならず柔軟性に優れた微調整が可能である。
【００３１】
【発明の効果】
以上説明したように、本発明の請求項１及び請求項２に記載のチップコンデンサは、第１の電極あるいは第２の電極を研磨又は切削することによって間隙の距離を調整すること、及び電極を備えない開放端面を研磨又は切削することによって電極の面積を調整することという原理の異なる調整が可能であり、１つのチップコンデンサにおいて容易に２種類の容量調整を柔軟に精度高く実施することができる。
【００３２】
また、本発明の請求項３に記載の誘電体フィルタにおいては、まず誘電体同軸共振器側の長さや面積を調整することによって誘電体同軸共振器自身の容量を調整可能であり、その後、請求項１又は請求項２に記載のチップコンデンサの容量を微調整することで、容易により精度の高い誘電体フィルタの共振周波数の調整が可能となる。
【００３３】
そして、本発明の請求項４に記載の誘電体フィルタにおいては、請求項３の誘電体フィルタの効果の他、特に高い温度安定性を奏することができる。
【００３４】
本発明の請求項５に記載の誘電体フィルタの共振周波数の調整方法においては、請求項３に記載の発明と同様の効果を発揮することができる。
【図面の簡単な説明】
【図１】本発明の実施の形態に係るチップコンデンサの外形図である。
【図２】本発明の実施の形態に係るチップコンデンサの表面を展開して示す概念図であり、（ａ）は上面図、（ｂ）は下面図、（ｃ）は左右側面図、（ｄ）は前後側面図である。
【図３】本発明の実施の形態に係る誘電体フィルタの断面構造図である。
【図４】本実施の形態に係る誘電体フィルタを組み合わせて構成されるデュプレクサの等価回路図である。
【図５】本実施の形態に係る誘電体フィルタの共振周波数の調整方法のみを選択して示すステップ図である。
【図６】（ａ）は、従来の誘電体フィルタの構成を示す断面図であり、（ｂ）は、（ａ）中Ａで示した点線部分を拡大して示す断面図である。
【符号の説明】
１…チップコンデンサ  １ａ…誘電体磁器ブロック  ２ａ，２ｂ…上面電極  ２ｃ…間隙  ３ａ，３ｂ…下面電極  ４…右側面電極  ５…左側面電極  ６…前面  ７…後面  ８…点線  ９…点線  １１…誘電体同軸共振器  １２…誘電体磁器  １３…内部電極  １４…外周壁  １５ａ，１５ｂ…外部電極  １５ｃ…開放端面  １６…リード  １７ａ〜１７ｄ…はんだ  １８…貫通孔  １９…誘電体フィルタ  ２０…基板  ２１…接地用電極  ２２ａ，２２ｂ…信号用電極  ３０…コンデンサ  ３１…誘電体同軸共振器  ３２…リード  ３３…信号用電極  ３４ａ，３４ｄ…外部電極  ３４ｂ，３４ｃ…内部電極  ３５ａ，３５ｂ…はんだ  ３６…はんだ
【図１】
2005032776.tif 000003
【図２】
2005032776.tif 000004
【図３】
2005032776.tif 000005
【図４】
2005032776.tif 000006
【図５】
2005032776.tif 000007
【図６】
2005032776.tif 000008